(57)【要約】【課題】待機状態から電力を投入して電子メールによる予約が可能な電子メール予約機能に対し、ユーザーの利用状況に応じた電力制御を行うことで省電力化を実現する。【解決手段】電子メール予約機能を持つＤＶＤレコーダ１１に対して、在宅や長期外出等でのユーザーの使用状況に対応して、電子メールを取得するための電源部２４の起動を、ユーザーが複数の省エネモードに設定可能な省エネスイッチ１９を操作することによって制御する。この電力供給制御により電子メール予約機能設定時における省電力化を図ることができる。【選択図】      図２
2004179935.tif 000002
【特許請求の範囲】
【請求項１】
所定時刻になると、待機状態から電力を投入する電力投入手段と、
前記電力投入により電子メールを受信し、該電子メールの送信内容に含まれる予約情報に基づき起動日時の予約設定を可能とする電子メール予約手段と、
前記所定時刻に基づく前記電力投入の回数を減らすように設定する設定手段とを具備したことを特徴とする記録装置。
【請求項２】
自動で時刻を合わせるジャストクロック機能を備え、該ジャストクロック機能の電力投入と前記電子メール予約の電力投入とを、同時刻にするか否かを選択可能とし、電力投入回数を制御することを特徴とする請求項１記載の記録装置。
【請求項３】
電子メール予約の電力投入の１日当たりの回数を、選択可能とし、電力投入回数を制御することを特徴とする請求項１記載の記録装置。
【請求項４】
前記電子メール予約手段が電子メール予約設定状態であることを表示する案内表示機能部を備え、該案内表示機能部のオフを選択できることを可能としたことを特徴とする請求項１記載の記録装置。
【請求項５】
前記電子メール予約手段に電力を投入する前の所定時間に、前記請求項１に基づく記録装置において記録操作が行われた場合は、前記所定時刻での前記電子メール予約手段の予約設定は行わないようにしたことを特徴とする記録装置。
【請求項６】
前記電子メール予約手段のオン／オフを設定可能とするとともに、前記省電力設定手段のオン／オフを別途設定可能とし、前記電子メール予約手段がオンの場合でも、前記省電力機能部がオンの場合には、省電力機能を優先することを特徴とする請求項１記載の記録装置。
【発明の詳細な説明】
【０００１】
【発明の属する技術分野】
この発明は、ＤＶＤ（Ｄｉｇｉｔａｌ  Ｖｅｒｓａｔｉｌｅ  Ｄｉｓｋ）レコーダやＶＴＲ等の予約記録機能を備えた電子機器にネットワークを通して予約記録設定を行う記録装置に関する。
【０００２】
【従来の技術】
従来の電子メールによる映像記録装置は、受信した電子メールを予約テーブルのフォーマットに変換し、予約テーブルに追加することで遠隔操作を可能としている。（例えば、特許文献１）
【０００３】
【特許文献１】
特開２００２−２７３７１公報（第３頁、図１）
【０００４】
【発明が解決しようとする課題】
上記した特許文献１の技術は、電子メールによる予約動作の場合、電力消費を抑えるために、１日に数回、所定時刻になると、電子メール予約の検出を行うために待機時から自動的に電力を投入して、電子メール予約の有無を検出し、新たな電子メール予約要求がないかを検出することが可能である。
【０００５】
しかしながら、この電力投入は、ユーザーが在宅中に新たな予約要求をした場合は、任意のタイミングで本体を起動させる可能であり、仮にそのタイミングで設定すると予約時刻に行われる電力投入は無駄な電力使用になってしまう。また、長期外出時などでは、１日数回の電力投入が必要ない場合もあり、必要以上の電力を使ってしまう、という問題があった。
【０００６】
この発明の目的は、待機中から電力投入して行う電子メール予約を、ユーザーの利用状況に合った電力制御を行い、省電力が実現する記録装置を提供することにある。
【０００７】
【課題を解決するための手段】
上記した課題を解決するために、この発明の記録装置は、所定時刻になると、待機状態から電力を投入する電力投入手段と、前記電力投入により電子メールを受信し、該電子メールの送信内容に含まれる予約情報に基づき起動日時の予約設定を可能とする電子メール予約手段と、前記所定時刻に基づく前記電力投入の回数を減らすように設定する設定手段とを具備したことを特徴とする。
【０００８】
上記した手段により、待機時の電力消費に関する複数の省電力モードを有し、ユーザーにて省電力モードを選択可能とすることで、個々のユーザーに応じた機能を確保しつつ、より一層の省電力を実現する。
【０００９】
【発明の実施の形態】
以下、この発明の実施の形態について、図面を参照しながら詳細に説明する。
図１は、この発明をＤＶＤレコーダに適用した場合のフロントパネルの概観図である。図１において、１１はＤＶＤレコーダのフロントパネル、１２は録画ＲＥＣ、再生ＰＬＡＹ、停止ＳＴＯＰ等のＤＶＤレコーダの操作に用いるスイッチ群１２である。１３はスイッチ群１２の各動作状態を表示するための表示器である。１４はＤＶＤレコーダの状態を案内表示する例えば蛍光表示管のような表示部であり、時刻表示、タイトル番号等を表示する。１５はＤＶＤドライバ部であり、ここから光ディスクの出し入れを行う。１６はＬＡＮ（Ｌｏｃａｌ  Ａｒｅａ  Ｎｅｔｗｏｒｋ）ケーブルとの接続を行うコネクタであり、このコネクタ１６は、ネットワークを介して外部からＤＶＤレコーダへのアクセスを可能とするためのもので、リアパネル側に配置しても構わない。１７はネットワークのアクセス状態を表示する表示器であり、例えばアクセス中は点灯する。１８は電源スイッチ、１９は省エネスイッチであり、待機中の電力消費を抑えるためのものである。
【００１０】
図２は、この発明の第１の実施の形態について説明するためのもので、ＤＶＤレコーダに適用した場合のシステムブロック図であり、２１は時刻、電源オン／オフの制御を行うシステムＣＰＵ（中央演算処理部）、２２は画像、音声処理および録画情報を制御してシステムＣＰＵ２１と通信するメインＣＰＵ、２３はコネクタ１６を介して外部とのアクセス制御を行うＬＡＮ制御部、２４は常時通電する電源ライン２４ａとオン／オフ制御される電源ライン２４ｂを持つ電源部、２５は画像／音声の入出力部、２６は、図１におけるスイッチ群１２、表示部１４等を含むユーザーインターフェイス部である。
【００１１】
図２の構成には電子メール予約機能を備えており、図３のフローチャートとともに電子メール予約機能について説明する。
システムＣＰＵ２１では、時刻を監視しており、電子メール予約動作の時刻になる（Ｓ１）と、システムＣＰＵ２１は、スイッチＳＷ１，ＳＷ２をオンし、メインＣＰＵ２２およびＬＡＮ制御部２３などの各部に電源部２４の供給を行う（Ｓ２）。この電力供給によりメインＣＰＵ２２とＬＡＮ制御部２３が起動し、メインＣＰＵ１６では、システムＣＰＵ２１からの情報より、電子メール予約機能による電力投入と認識する（Ｓ３）と、ＬＡＮ制御部２３において外部電子メールの確認を行う（Ｓ４）。ＬＡＮ制御部２３では、外部電子メールが確認された場合に、メインＣＰＵ２２へ電子メール情報を転送する。メインＣＰＵ２２では、ＬＡＮ制御部２３より転送された外部電子メールに、ユーザーからの予約情報が組み込まれているか否かを検出し（Ｓ５）、予約情報が含まれていない場合はスイッチＳＷ１，ＳＷ２をオフし開始位置に戻り（Ｓ６）、含まれている場合は予約情報が予約動作可能な予約であるかを解析する（Ｓ７）。
【００１２】
この解析で予約可能となった場合（Ｓ８）、メインＣＰＵ２２では、予約開始、終了時間をシステムＣＰＵ２１へ通信し、電子メール予約機能が終了したこともシステムＣＰＵ２１へ転送し、予約による電力投入時刻を把握する（Ｓ９）。
この後システムＣＰＵ２１は、スイッチＳＷ１，ＳＷ２をオフし、メインＣＰＵ２２、ＬＡＮ制御部２３などの各部への電源部２４の供給を停止させる（Ｓ１０）。
【００１３】
この一連の動作を、１回の電子メール予約機能とし、この電子メール予約機能での電力投入の設定時刻は、例えば６時、１１時、１８時の１日３回に設定し、ＤＶＤレコーダでの電子メール予約動作を行うように設定している。
【００１４】
例えば、午前４時に外出先でユーザーが４時に明日放映番組を録画したい場合、予約したいＤＶＤレコーダ宛てに、放映番組の開始時間、終了時間、チャンネル情報を電子メールにて転送する。その当日の午前６時に、ＤＶＤレコーダでは自動的にスイッチＳＷ１，ＳＷ２をオンして電源部２４の電力がＬＡＮ制御部２３等に投入され、電子メールを受信し、受信した電子メールから開始時間、終了時間、チャンネル情報を読み出し、放映番組を予約可能な録画予約番組として設定する。翌日の開始時間になると、このＤＶＤレコーダでは、自動的に、予約チャンネルの録画を開始し、終了時刻になると録画予約を終了し、放映番組を予約録画することが可能となる。
【００１５】
ところで、在宅中に新たな予約したい場合は、任意のタイミングで本体を起動させて録画予約することが可能であり、電子メール予約動作での電力投入は無駄な電力使用になってしまう。また、長期旅行などでは番組に寄せる関心が低くなり、例えば朝刊を読んだ後の１日１回の電子メール送信しか行わない場合、ＤＶＤレコーダでの予約機能は１日１回で十分であり、ＤＶＤレコーダの電子メール予約機能の１日３回もの電力投入の必要がなく、必要以上の電力を使ってしまう。
【００１６】
そこで、フロントパネル１１に省電力を設定する省電力スイッチ１９を設置し、この省電力スイッチ１９をユーザーが操作することにより、電子メール予約機能の起動をユーザーによって制御するように構成した、この発明の第２および第３の実施の形態について説明する。
【００１７】
図４は、この発明の第２の実施の形態を示し、省電力スイッチ１９と電子メール予約機能での電源部２４の電力投入との関係について説明するための説明図であり、この実施の形態について図２とともに説明する。
【００１８】
すなわち、初期状態の省電力スイッチ１９はオフであり、ユーザーが省電力スイッチ１９を操作すると、省電力モード１に設定され、電子メール予約機能での電力投入は、上記した１日３回に設定していたとすると、この場合２回目だけの１１時の１日１回に制御される。更に、もう一度省電力スイッチ１９を操作すると、電子メール予約機能での電力投入は０回に制御される。更に、もう一度省電力スイッチ１９を操作すると、省電力機能をオフの初期状態に戻る。
【００１９】
この実施の形態の場合、ユーザーが省電力スイッチを操作することにより、電子メール予約による省電力化を図ることが可能となる。
図５は、この発明の第３の実施の形態を示し、自動で時刻を合わせるジャストクロック機能を装備し、図４の実施の形態での省電力モードと電子メール予約機能の電力投入との相関関係について説明するための説明図であり、この実施の形態について図２とともに説明する。
【００２０】
ジャストクロック機能は、電子メール予約機能と同様に、システムＣＰＵ２１にてジャストクロック用の所定時刻に時計時刻が到達すると、スイッチＳＷ１，ＳＷ２を操作してメインＣＰＵ２２、ＬＡＮ制御部２３などの各部に電力の供給を行い、時報放送を検出して、ＤＶＤレコーダ本体の時計を自動で校正する、という機能である。
【００２１】
初期状態の省電力はオフであり、ユーザーが省電力スイッチ１９を操作すると、省電力モード３に設定され、電子メール予約機能での電力投入時刻をジャストクロックでの電力投入時刻と同時刻にし、ジャストクロックでの電力投入と電子メール予約動作での電力投入を一致させ、２つの機能で別々に発生していた電力使用を減らすことが可能となる。更に、もう一度省電力スイッチ１９を操作すると、省電力モード４に設定され、電子メール予約機能での電力投入時刻をジャストクロックでの電力投入時刻と同時刻にし、かつ、１日１回の電力投入に制御される。
【００２２】
この実施の形態は、電子メール予約動作中には表示部１４に［ｍａｉｌ］と表示させ、ユーザーに電子メール予約動作中であることを表示し、外部からのアクセス中に電源プラグをコンセントから抜くなどの電力遮断しないように注意を促すことができる。また、接続されているモニターへも、電子メール予約動作中であることを表示するため［ｍａｉｌ］とＯＳＤ（Ｏｎ  Ｓｃｒｅｅｎ  Ｄｉｓｐｌａｙ）の表示を行い、モニター画面上でも外部からのアクセス中に電源プラグを抜くなどの電力遮断しないように注意を喚起することができる。
【００２３】
ところで、外出中などではユーザーによる電力遮断の可能性はなく、表示部１４への表示、モニターへの表示する機能を動作させることは、無駄な電力消費になってしまう。そこで、この無駄な電力消費の削減したこの発明の第４の実施の形態について図６と図２を参照して説明する。
【００２４】
ユーザーが省電力スイッチ１９を操作すると、省電力モード５に設定され、電子メール予約動作中でシステムＣＰＵ２１にて表示部１４の電力をオフさせるとともに、映像／音声出力部２５の電力をオフさせ、一層の省電力を実現する。
【００２５】
この発明は、上記した実施の形態に限定されるものではない。例えば、ユーザーが在宅でＤＶＤレコーダの予約録画をしたい場合、電子メール予約機能を使わず、電子メール予約動作の所定時刻直前に、次に訪れる電子メール予約機能での電力投入は、ユーザーの要望する予約情報は既に設定されており、無駄な電力消費になってしまう。このような場合にユーザーが省電力スイッチ１９を操作すると、電子メール予約機能の所定時刻による電力投入前の所定時間に、ユーザーによるＤＶＤレコーダへの操作があると、所定時刻での電子メール予約機能を起動させないように設定することにより、この１回分の電力消費を回避できる。
【００２６】
また、省電力スイッチ１９は、電子メール予約機能のみの制御ではなく、モードによって表示部１４の表示をオン／オフを選択する機能を含ませることも可能である。
【００２７】
さらに、ＤＶＤレコーダを例にして説明したが、これに限らずＶＴＲやハードディスク等の記録装置にも適用可能である。
【００２８】
【発明の効果】
以上説明したように、この発明の記録装置によれば、ユーザーが選択し設定可能な省電力機能を設けたことで、ユーザーの使用に応じた電子メール予約機能設定時での省電力を実現させることが可能となる。
【図面の簡単な説明】
【図１】この発明が適用されたＤＶＤレコーダのフロントパネルの概観図。
【図２】この発明の第１の実施の形態について説明するためのシステムブロック図。
【図３】この発明の第１の実施の形態の動作について説明するためのフローチャート。
【図４】この発明の第      ２の実施の形態の省電力モードと電子メール予約機能の電力投入との相関関係について説明するための説明図。
【図５】この発明の第３の実施の形態の省電力モードと電子メール予約機能の電力投入との相関関係について説明するための説明図。
【図６】この発明の第４の実施の形態の省電力モードと表示機能動作との相関関係について説明するための説明図。
【符号の説明】
１４…表示部
１６…ＬＡＮコネクタ
１９…省エネスイッチ
２１…システムＣＰＵ
２２…メインＣＰＵ
２３…ＬＡＮ制御部
２４…電源部
ＳＷ１，ＳＷ２…スイッチ
【図１】
2004179935.tif 000003
【図２】
2004179935.tif 000004
【図３】
2004179935.tif 000005
【図４】
2004179935.tif 000006
【図５】
2004179935.tif 000007
【図６】
2004179935.tif 000008